(57)【特許請求の範囲】
【請求項１】
ワイヤーを網目に組んだラス網の外周部がモルタル基材の周端面から突出した耐火ボードを複数隣り合わせて柱に沿って配列し、固定具を柱に打ち込むことによってラス網を柱に固定する耐火壁の施工方法であって、
耐火断熱下地板を柱に沿わせる工程と、隣り合った耐火ボードのラス網の外周部同士を重ね合わせて前記耐火断熱下地板に沿わせる工程と、重ね合わされたラス網の外周部に固定盤を宛がう工程と、軸部を有する固定具によって固定盤をラス網に押し付けて柱に固定する工程とを含んでいることを特徴とする耐火壁の施工方法。
【請求項２】
前記モルタル基材との間に空気層を設ける断熱材を柱上に重ねる工程を含んでいることを特徴とする請求項１に記載の耐火壁の施工方法。
【請求項３】
ワイヤーを網目に組んだラス網の外周部がモルタル基材の周端面から突出した耐火ボードが複数隣り合って柱に沿うように配列された耐火壁であって、
耐火断熱下地板が柱に沿って配置され、隣り合う耐火ボードのラス網の外周部同士が重ね合わされ、該ラス網の外周部が前記耐火断熱下地板に沿うように耐火ボードが配置され、固定盤がラス網の外周部に宛がわれ、軸部を有する固定具によって固定盤がラス網に押し付けられ、固定されていることを特徴とする耐火壁。
【請求項４】
前記固定盤は、前記ラス網の外周部の１本のワイヤーを跨ぐ長さで、かつ、両端部に貫通穴が形成され、又は前記ラス網の外周部の２本のワイヤーに亘る長さで、かつ、中間部に貫通穴が形成されていることを特徴とする請求項３に記載の耐火壁。
【発明の詳細な説明】
【技術分野】
【０００１】
本発明は、多数枚の耐火ボードを柱に固定した耐火壁及びこの耐火壁を施工する耐火壁の施工方法に関する。
【背景技術】
【０００２】
住宅などの建築物の壁を施工するには、適宜間隔で柱が立設され、この柱にベニヤ板が打ち付けられ、このベニヤ板の外側（屋外側）に防水紙を介してラス網が宛がわれ、コ字形状のステップルなどが柱に打ちつけられることでこのラス網が固定され、その外側からモルタルが吹き付けられる一方、ベニヤ板の内側（屋内側）に断熱用グラスウールが貼り付けられる。
【０００３】
しかし、このような施工方法では、施工工数が多くなることから、図３に示すような耐火ボード１０を多数枚使用して耐火壁を施工する方法も提案されている。この耐火ボード１０は、四角形状のラス網１１の片面に耐火ネット１２が重ね合わされ、重なり合っていない側のラス網１１の外側面と耐火ネット１２の外側面にモルタル基材１３が積層されている。
【０００４】
ラス網１１は、鋼製ワイヤーＷが例えば格子状に組まれることによって四角形状の網目を多数設けたものとされている。また、耐火ネット１２は、耐アルカリ性ガラス繊維が例えば格子状に組まれることによって四角形状の網目を多数設けたものとされている。ただし、耐火ネット１２の網目は、ラス網１１の網目よりも小さくされている。
【０００５】
そして、ラス網１１及び耐火ネット１２は、モルタル基材１３よりも一回り大きなサイズとされている。すなわち、ラス網１１及び耐火ネット１２の外周部１１ａ，１２ａは、モルタル基材１３の周端面１３ａよりも突出している。
【０００６】
このような耐火ボード１０が図４示すように多数枚並べられることで、耐火壁が施工される。すなわち、隣り合った耐火ボード１０のモルタル基材１３から突出しているラス網１１及び耐火ネット１２（図４では図示せず）の外周部同士が重ね合わされ、この重ね合わされた部分が木製の柱１に宛がわれる。
【０００７】
そして、ステップル（図示せず）がラス網１１の鋼製ワイヤーＷを跨いで木製の柱１に打ち込まれることで、鋼製ワイヤーＷが保持された状態となり、耐火ボード１０が柱１に固定される。そして、隣り合った耐火ボード１０のモルタル基材１３とモルタル基材１３の周端面１３ａの間がモルタル（図示せず）によって充填される。
【０００８】
なお、断熱性を確保しながら結露対策を施し、かつ、ラス網を確実に固定することができるようにした複合構造壁体についての発明が特許文献１に記載されている。この複合構造壁体は、発泡樹脂板の少なくとも一側面にラス網が直に熱溶着され、ラス網に壁材としての粘状のモルタル（図示せず）が吹き付けられる。
【先行技術文献】
【特許文献】
【０００９】
【特許文献１】特開平７−３００９６５号公報
【発明の概要】
【発明が解決しようとする課題】
【００１０】
図３に示した耐火ボード１０は、ラス網１１、耐火ネット１２、モルタル基材１３によって構成されているため、必要十分な耐火性能を有している。しかし、耐火壁は、隣り合った耐火ボード１０のラス網１１の外周部が重なり合って柱１に沿って配列され、ラス網１１の鋼製ワイヤーＷがステップルによって保持され、重なり合ったラス網１１及び耐火ネット１２の外周部１１ａ，１２ａ上にモルタルが塗布されているだけである。
【００１１】
したがって、隣家で火災が発生したときに、柱１が昇温するだけでなく、細径のステップルが加熱されることで、酸化して、脆弱化する。そうすると、柱１が焦（こ）げてしまうだけでなく、ステップルが鋼製ワイヤーＷを保持できなくなり、ついには耐火ボード１０が柱１から脱落することもある。
【００１２】
そこで、本発明は、隣家で火災が発生したときなどにおいて、柱が焦げないような断熱性を有するようにした耐火壁施工方法及び耐火壁を提供することを課題とする。
【課題を解決するための手段】
【００１３】
本発明に係る耐火壁の施工方法は、ワイヤーを網目に組んだラス網の外周部がモルタル基材の周端面から突出した耐火ボードを複数隣り合わせて柱に沿って配列し、固定具を柱に打ち込むことによってラス網を柱に固定する耐火壁の施工方法であって、耐火断熱下地板を柱に沿わせる工程と、隣り合った耐火ボードのラス網の外周部同士を重ね合わせて前記耐火断熱下地板に沿わせる工程と、重ね合わされたラス網の外周部に固定盤を宛がう工程と、軸部を有する固定具によって固定盤をラス網に押し付けて柱に固定する工程とを含んでいることを特徴としている。
【００１４】
この耐火壁の施工方法によって施工された耐火壁は、隣り合う耐火ボードの重ね合わされたラス網の外周部が耐火断熱下地板を介して柱に沿う状態とされているため、柱が耐火断熱下地板によって断熱されている。そして、重ね合わされたラス網の外周部に宛がわれる固定盤が、耐火断熱下地板から柱まで打ち込まれる軸状の固定具によってラス網に押し付けられることで、耐火ボードが固定盤と固定軸とによって柱に固定されている。
【００１５】
したがって、この耐火壁は、隣家で火災が発生しても、耐火断熱下地板によって柱が加熱されない。そして、固定具は、好ましくはワイヤーよりも太い軸部を有することで、高温に加熱されにくく、酸化して脆弱化しにくくすることができる。したがって、この耐火壁は、隣家で火災が発生しても、柱が焦げず、また、固定具が脆弱化しないことから、耐火ボードが柱から脱落しないようにすることができる。
【００１６】
また、前記本発明に係る耐火壁の施工方法において、前記モルタル基材との間に空気層を設ける断熱材を柱上に重ねる工程を含んでいてもよい。
【００１７】
この耐火壁の施工方法によって施工された耐火壁は、柱と耐火断熱下地板との間に断熱材が挟まれ、この断熱材とモルタル基材との間に空気層を設けられている。この断熱材及び空気層によって、屋外の熱気や寒気が屋内に伝熱されにくいようにすることができる。さらに、断熱材は、耐火断熱下地板と協同して、柱が加熱されないように作用する。
【００１８】
また、本発明に係る耐火壁は、ワイヤーを網目に組んだラス網の外周部がモルタル基材の周端面から突出した耐火ボードが複数隣り合って柱に沿うように配列された耐火壁であって、耐火断熱下地板が柱に沿って配置され、隣り合う耐火ボードのラス網の外周部同士が重ね合わされ、該ラス網の外周部が前記耐火断熱下地板に沿うように耐火ボードが配置され、固定盤がラス網の外周部に宛がわれ、軸部を有する固定具によって固定盤がラス網に押し付けられ、固定されていることを特徴としている。
【００１９】
この耐火壁によれば、隣り合った耐火ボードのラス網の外周部同士が重ね合わされ、このラス網の外周部が柱に沿うように屋外側に配置されるが、ラス網の外周部と柱との間に耐火断熱下地板が介在している。この耐火断熱下地板は、隣家で火災が発生したときなどにおいて、このラス網の外周部から柱に向かう熱を遮断する。そして、柱に打ち込まれる固定具が、好ましくはワイヤーよりも太い軸部を有することで、高温に加熱されにくく、酸化して脆弱化しにくいようにすることができる。したがって、この耐火壁は、隣家で火災が発生しても、柱が焦げず、また、固定具が脆弱化しないことから、耐火ボードが柱から脱落しないようにすることができる。
【００２０】
また、前記本発明に係る耐火壁において、前記固定盤は、前記ラス網の外周部の１本のワイヤーを跨ぐ長さで、かつ、両端部に貫通穴が形成され、又は前記ラス網の外周部の２本のワイヤーに亘る長さで、かつ、中間部に貫通穴が形成されていることが好ましい。
【００２１】
この耐火壁によれば、固定盤に形成された貫通穴を固定具が貫通することによって、固定盤がラス網のワイヤーに押し付けられる。そして、１本のワイヤーを跨ぐ長さの固定盤の両端部に貫通穴が形成されることにより、又は、２本のワイヤーに亘る長さの固定盤の中間部に貫通穴が形成されることにより、貫通穴を貫通する軸部が固定盤を偏ることなく均等にワイヤーに押し付ける。
【発明の効果】
【００２２】
本発明によれば、隣り合って重ね合わされた耐火ボードのラス網の外周部と柱との間に耐火下地板が介在し、ラス網の外周部が固定具及び固定盤によって押し付けられる耐火壁が施工されることにより、隣家で火災が発生したときなどにおいても、耐火ボードが柱から脱落しないようにすることができる。
【図面の簡単な説明】
【００２３】
【図１】本発明に係る耐火壁の実施形態の要部を示し、（ａ）は概略正面図、（ｂ）は（ａ）のＡ−Ａ線断面図である。
【図２】本発明に係る耐火壁の図１と異なる実施形態の要部を示し、（ａ）は概略正面図、（ｂ）は（ａ）のＢ−Ｂ線断面である。
【図３】耐火ボードの一例を示す一部破断概略正面図及び要部拡大断面図である。
【図４】耐火ボードを使用した耐火壁の一例を示す概略斜視図である。
【発明を実施するための形態】
【００２４】
本発明に係る耐火壁の施工方法及び耐火壁の実施形態について図面を参照しながら説明する。図１（ａ）と図１（ｂ）とが常に対応し、図２（ａ）と図２（ｂ）とが常に対応するという関係になく、図１（ａ）と図２（ｂ）とが組み合わされる場合があり、また、図２（ａ）と図１（ｂ）とが組み合わされる場合もある。また、図１，２では、図３に示した耐火ネット１２を省略している。なお、背景技術において説明した部分と同一の部分は、同一の符号を付して説明する。
【００２５】
本実施形態における耐火壁は、従来と同様、図３に示した耐火ボード１０を使用して施工される。ただし、従来と異なり、図１に示すように、まず、耐火断熱下地板２０を木製の柱１の外側（屋外側）の面に沿わせる。耐火断熱下地板２０としては、例えば、珪酸カルシウム板（略称はケイカル板）のような耐火性に優れ、比重が軽い板が使用される。
【００２６】
この耐火断熱下地板２０は、隣家で火災が発生したときなどにおいて、柱１が加熱されないよう断熱するために使用される。したがって、この耐火断熱下地板２０は、隣り合った耐火ボード１０のラス網１１の重なり合っている外周部１１ａを塞ぐ幅、すなわち、隣り合った耐火ボード１０のモルタル基材１３の周端面１３ａの間の幅以上であって、柱１とほぼ同じ幅の細長いタイプが採用される。
【００２７】
そして、隣り合った耐火ボード１０のラス網１１の外周部１１ａを重ね合わせ、この重なり合ったラス網１１の外周部１１ａを柱１に沿わせるように、複数の耐火ボード１０を配列する。この重なり合ったラス網１１の外周部１１ａと柱１との間には、耐火断熱下地板２０が介在している。
【００２８】
そして、各耐火ボード１０のラス網１１の外周部１１ａの一辺において２か所以上で固定盤３０を宛がい、固定具４０によって固定盤３０をラス網１１の外周部１１ａに押し付けることで、耐火ボード１０を柱１に固定する。固定盤３０は、図１（ａ）に示すように、ラス網１１の重なり合っている外周部１１ａで、２本接触した状態に（図面では、見やすくするため、わずかに離れた状態に描いている。）並んだワイヤーＷ，Ｗ（以下、「ワイヤー組Ｗ，Ｗ」という。）を跨ぐ長さで、かつ、両端部に貫通穴３１が形成されている。
【００２９】
あるいは、固定盤３０は、図２（ａ）に示すように、ラス網１１の重なり合っている外周部１１ａで２組のワイヤー組Ｗ，Ｗに亘る長さで、かつ、中間部に貫通穴３１が形成されている。いずれの固定盤３０にしても、当然ながら、隣り合った耐火ボード１０のモルタル基材１３の間に入る幅とされている。
【００３０】
そして、この固定盤３０は、固定具４０によってラス網１１の外周部１１ａに押し付けられる。すなわち、固定具４０は、固定盤３０に宛がわれる頭部４１の中心に軸部４２を突設したもので、軸部４２が耐火断熱下地板２０から柱１まで打ち込まれる。この軸部４２は、ワイヤーＷの外径よりも太い大径のものが使用される。また、軸部４２は、図示しないが、尖端形状として釘のように打ち込むタイプのほか、ネジ山を形成したビスのようにねじ込むタイプであってもよい。
【００３１】
そして、この固定具４０の軸部４２が打ち込まれる位置の耐火断熱下地板２０には、貫通穴３１が形成されていることが好ましい。固定盤３０が任意の位置に宛がわれ、固定具４０の軸部４２を耐火断熱下地板２０に任意の位置で打ち込めるようにするため、耐火断熱下地板２０に多くの貫通穴３１が形成されると、耐火性能が低下するだけでなく、強度が不足することもありえる。したがって、耐火下地板２０には、必要最小限の貫通穴３１が形成される。あるいは、ビスのような軸部４２の固定具４０を打ち込む（ねじ込む）場合は、耐火断熱下地板２０に貫通穴３１を必ずしも形成しなくてもよい。
【００３２】
いずれにしても、固定具４０は、軸部４２が柱１まで打ち込まれることで、頭部４１が固定盤３０をラス網１１の外周部１１ａに押し付け、耐火ボード１０を柱１に固定する。固定盤３０は、ラス網１１の外周部１１ａを一つの辺において２か所以上で固定するため、耐火ボード１０の荷重が複数の柱１に分散され、耐火ボード１０の荷重によって柱１が破断し、耐火ボード１０が柱１から脱落するような事態は生じない。
【００３３】
最後に、隣り合っている耐火ボード１０の周端面１３ａと周端面１３ａとの間にモルタル２が充填され、ラス網１１の外周部１１ａ、固定盤３０及び固定具４０の頭部４１がモルタル２によって隠されて、耐火壁の施工が終了する。
【００３４】
このようにして施工された耐火壁は、隣り合った耐火ボード１０のラス網１１の外周部１１ａが重なり、この重なったラス網１１の外周部１１ａが耐火断熱下地板２０を介して柱１に沿い、このラス網１１の外周部１１ａが一つの辺において２か所以上で固定盤３０に宛がわれ、柱１まで打ち込まれる固定具４０によってこの固定盤３０が固定されている。
【００３５】
したがって、隣家で火災が発生しても、この耐火壁は、耐火ボード１０が柱１から脱落しないようになっている。すなわち、固定具４０は、頭部４１が固定盤３０に当接していることから、固定具４０が加熱されても、その熱が固定盤３０にも分散する。また、柱１に打ち込まれる固定具４０の軸部４２は、従来のステップルに比べて大径であることから、蓄熱されない。したがって、固定具４０は、酸化するほどに加熱されず、脆弱化することもない。
【００３６】
さらに、柱１自体が耐火断熱下地板２０に覆われていることから、隣り合っている耐火ボード１０のモルタル基材１３の周端面１３ａと周端面１３ａとの間からの熱が柱１を加熱しない。したがって、この耐火壁は、隣家で火災が発生しても、柱１が焦げず、耐火ボード１０が柱１から脱落しない性能を備えている。
【００３７】
なお、本発明は、前記実施の形態に限定することなく、種々変更することができる。例えば、耐火壁は、図２（ｂ）に示すように、耐火ボード１０との間に空気層Ｓを設けるための断熱材５０を介装してもよい。断熱材５０は、例えば、ロックウールによって、耐火ボートと同程度の大きさの板状に成形されている。
【００３８】
この断熱材５０は、柱１と耐火断熱下地板２０とに挟まれるように介装される。したがって、柱１上に断熱材５０を架け渡した後、耐火断熱下地板２０を柱１に沿わせるようにして施工する。
【００３９】
このような耐火壁にあっては、耐火ボード１０と断熱材５０との間に空気層Ｓが設けられ、この空気層Ｓによって屋外の冷気や熱気を遮断することができるだけでなく、断熱材５０は、耐火断熱下地材２０と相俟って、柱１を火災時の熱から遮断し、柱１を加熱しないようにも作用する。
【００４０】
また、固定盤３０は、前記実施の形態では１本のワイヤーＷを跨ぐ長さ、又は２本のワイヤーＷに亘る長さとされたが、３本以上のワイヤーＷに跨ってもよく、さらに、耐火ボード１０の全長に亘る長さとしてもよい。
【００４１】
また、１本のワイヤーＷを跨ぐ長さの固定盤３０や２本のワイヤーＷに亘る長さの固定盤３０にあっては、貫通穴３１を設けることなく、Ｌ字状の固定具４０によって押さえつけられるようにしてもよい。２本のＬ字状の固定具４０の軸部４２が固定盤３０の両端縁を挟み、折曲した頭部４１が固定盤３０の端部を押さえるようにして、軸部４２を柱１まで打ち込むことで固定盤３０をラス網１１に押し付けることができる。
【００４２】
また、ラス網１１は、基本的に鋼製のワイヤーＷによって組まれるが、材質は限定しない。また、前記実施の形態の耐火ボード１０も、図示しない耐火ネットがラス網１１に重ね合わされているが、使用状況に応じて、耐火ネットを省略してもよい。また、固定具４０は、柱１に打ち込むタイプでなく、柱１の側面から内側（屋内側）の面に回りこんで固定するようにしたタイプであってもよい。
【符号の説明】
【００４３】
１………柱
１０……耐火ボード
１１……ラス網
１１ａ…外周部
１３……モルタル基材
１３ａ…周端面
２０……耐火断熱下地板
３０……固定盤
３１……貫通穴
４０……固定具
４１……頭部
４２……軸部
５０……断熱材
Ｓ………空気層
Ｗ………ワイヤー
【図１】
0005427905.tif 000002
【図２】
0005427905.tif 000003
【図３】
0005427905.tif 000004
【図４】
0005427905.tif 000005